(57)【要約】      （修正有）【課題】仮設用仕切り構造体を設置した現場での作業の終了後、該仮設用仕切り構造体を恒久的な仕切り構造体として有効的に再利用することを可能とする。【解決手段】強度の有る防護柵１４となるコンクリート製自立型或いはアンカー併用型の仮設用仕切り構造体１３において、防護柵１４の所定間隔毎に、別体の重量及び強度と幅の有る安定構造物２９と一体的に取着できる取付部及び／又は同形状の防護柵１４を長手方向に連続できる連結部８ａを予め形成する。【選択図】図２
2015078590.tif 000002
【特許請求の範囲】
【請求項１】
強度の有る防護柵となるコンクリート製自立型或いはアンカー併用型の仮設用仕切り構造体において、該防護柵の所定間隔毎に、別体の重量及び強度と幅の有る安定構造物と一体的に取着できる取付部及び／又は同形状の防護柵を長手方向に連続できる連結部を予め形成してなることを特徴とする恒久的な仕切り構造体又はその他の機能を有する構造体へ転用可能な仮設用仕切り構造体。
【請求項２】
強度の有る防護柵となるコンクリート製自立型或いはアンカー併用型の仮設用仕切り構造体において、該防護柵の所定間隔毎に、別体の重量及び強度と幅の有る安定構造物と一体的に取着できる取付部及び／又は同形状の防護柵を長手方向に連続できる連結部を予め形成し、且つ、該防護柵の上部に隣接する他の防護柵と連結するためのシース孔を予め形成してなることを特徴とする恒久的な仕切り構造体又はその他の機能を有する構造体へ転用可能な仮設用仕切り構造体。
【請求項３】
仮設用仕切り構造体は、比較的高さの低い防護柵と、該防護柵の背面に立設した鋼管、鋼棒、Ｈ型鋼・Ｉ型鋼・Ｔ型鋼・Ｌ型鋼等の鋼材、鉄筋又はワイヤー等の強度の有る支柱部材と、該支柱部材間に架け渡した鋼管、ワイヤー、棒状部材、鉄板、鋼製矢板、木製矢板、サイディング、ネット等の防護部材とよりなり、該支柱部材は防護柵に固定してなることを特徴とする請求項１又は２記載の恒久的な仕切り構造体又はその他の機能を有する構造体へ転用可能な仮設用仕切り構造体。
【請求項４】
仮設用仕切り構造体は、比較的高さの低い防護柵及びコンクリート製の高さの有る防護壁とで形成し、該防護柵の背面に該防護壁を一体に形成してなることを特徴とする請求項１又は２記載の恒久的な仕切り構造体又はその他の機能を有する構造体へ転用可能な仮設用仕切り構造体。
【請求項５】
仮設用仕切り構造体は、比較的高さの低い防護柵及びその上方の高さの有る防護壁とで形成し、該防護柵の上端部に該防護壁を連続一体に形成してなることを特徴とする請求項１又は２記載の恒久的な仕切り構造体又はその他の機能を有する構造体へ転用可能な仮設用仕切り構造体。
【請求項６】
仮設用仕切り構造体は、防護柵の背面又は該防護柵の下部側となるベース部に仮設用重量部材を一体的に設けてなることを特徴とする請求項１乃至５のいずれか記載の恒久的な仕切り構造体又はその他の機能を有する構造体へ転用可能な仮設用仕切り構造体。
【請求項７】
取付部は、防護柵の下部側のベース部の所定間隔毎に、該ベース部の一部を切除した切欠部とし、該切欠部を安定構造物と一体化するためのアンカーや取付金具の固定部としてなることを特徴とする請求項１乃至６のいずれか記載の恒久的な仕切り構造体又はその他の機能を有する構造体へ転用可能な仮設用仕切り構造体。
【請求項８】
連結部は、防護柵の下方側壁の端部及び／又は防護柵の天端部の端部に設けたことを特徴とする請求項１乃至７のいずれか記載の恒久的な仕切り構造体又はその他の機能を有する構造体へ転用可能な仮設用仕切り構造体。
【請求項９】
安定構造物を、埋設基礎部材としたことを特徴とする請求項１乃至８のいずれか記載の恒久的な仕切り構造体又はその他の機能を有する構造体へ転用可能な仮設用仕切り構造体。
【請求項１０】
安定構造物を、橋梁の一部としたことを特徴とする請求項１乃至９のいずれか記載の恒久的な仕切り構造体又はその他の機能を有する構造体へ転用可能な仮設用仕切り構造体。
【請求項１１】
安定構造物を、他の機能を兼用する重量物或いはベース部上に設けられた重量物としたことを特徴とする請求項１乃至１０のいずれか記載の恒久的な仕切り構造体又はその他の機能を有する構造体へ転用可能な仮設用仕切り構造体。
【発明の詳細な説明】
【技術分野】
【０００１】
本発明は、重量及び強度又はそれらに他の様々な機能を有する安定構造物と取着及び／又は同様の構造体と連結して一体化することにより恒久的な仕切り構造体又は他の機能を備えた恒久的な仕切り構造体又はその他の機能を有する構造体へ転用可能な仮設用仕切り構造体に関するものである。
【背景技術】
【０００２】
従来より、車両の通行路線の路側等で工事を行う場合或いは左右の通行路線を一時的に仕切って工事を行う場合等において、当該工事の安全及び通行車両の通行に支障が生じないように仮設としての仕切り構造体を設置している。該仮設用仕切り構造体としてはカラーコーン（登録商標）や鋼製・木製・樹脂製・ＦＲＰ製等或いはそれら材料を組み合わせたバリケ-ドのような簡易なものの他、コンクリート製の基礎にＨ型鋼やガードレール等を組み合わせたもの、コンクリートブロックとガードレールとを組み合わせたもの、鋼板を独自の形状に加工したもの、複数のＨ型鋼や覆工板などの鋼材を組み立ててその道路側にガードレールを取り付けたもの等が使用されている。
【０００３】
既設の通行路線を有する施工現場での仮設用仕切り構造体の設置作業は、交通規制を伴う場合が多く、場合によっては夜間の所定の時間の限られた時間内により多くの作業を行うことが強いられている。そこで上記のような簡易な仕切り構造体とすることにより、作業の短縮化を図り、それにより労働災害の発生を抑え、工事価格を抑えることを可能としていた。そのような観点から、下記する特許文献１乃至３が先行技術としてある。
【０００４】
図１４に示す特許文献１は、鉄箱の基礎Ａの上面に支柱取付筒Ｂを設け、更に、該基礎Ａの上面にＨ型鋼挿通筒Ｃを一体的に取り付け、該支柱取付筒Ｂに支柱Ｄを挿着し、該支柱Ｄの上部に防護柵本体Ｅをボルトとナットによって固定支持している。上記構成の基礎Ａの複数個を施工現場において並べ、該Ｈ型鋼挿通筒ＣにＨ型鋼Ｆを挿通して連結することにより、防護柵としての仮設用支持構造を提供している。該基礎Ａは地盤上に設置するだけでもよいし、該基礎Ａの下側に取付けられている金具Ｇを介しアンカーによって該地盤に固定するだけでよく、施工現場での作業の短縮化を図ったものである。
【０００５】
また、図１５に示す特許文献２は、支柱台としてＨ型鋼Ｊを用い、仮設すべき位置に置いた該Ｈ型鋼Ｊに支柱Ｋを適宜の間隔で溶接固定し、この支柱Ｋにビーム材Ｌをボルトとナットで締結固定するものである。Ｈ型鋼Ｊへの支柱Ｋの溶接に時間を必要とするものの、施工現場での設置時間の短縮化を図ったものである。
【０００６】
更に、図１６に示す特許文献３のように、水出入れ口Ｍと支柱取り付け部Ｏとを有し、内部に水を収容できる容器状の支柱台Ｐを間隔をあけて施工現場に配置し、ビーム材Ｑを支持する支柱Ｒを該支柱台Ｐの支柱取り付け部Ｏに取り付け設置し、その後に該支柱台Ｐ内の空間に水を満たす仮設防護柵がある。施工現場での仮設用防護柵の設置の短縮化を図ったものである。
【０００７】
仮設用仕切り構造体においては、上記のように、路線相互の仕切りや通行路線部分と工事部分とを分ける仕切りとしての機能を有するものとして、設置時間の短縮化が求められる一方、車両の進入を阻止する強固な構造物としての機能、騒音・排気ガス・飛散物等の進入防止をする遮蔽機能或いは視線を避ける目隠し機能又は逆に視線を生かす機能等、様々な異なる機能が求められている。更に、経済的な面及び資源保護の観点から仮設用仕切り構造体を恒久的な仕切り構造体又はその他の機能を備えた恒久的な仕切り構造体への転用可能な機能も求められている。
【０００８】
工事等の仮設用仕切り構造体として用いる場合に、その工事期間において、当該工事路線の工事中の間、車両の最高速度を一時的に落とす対策をしたり、暫定的な使用ということで恒久的に用いる場合の耐力（衝突車両の想定衝突速度や設置期間中の想定最大風速等）を下げて設計すること等が考えられ、そのような状態の仮設用仕切り構造体を耐力を向上させて恒久的な仕切り構造体として使用するとなると、少なくとも仮設使用時の耐力との差となる耐力差分に相当する重量や設置幅や地中に埋設した分の滑動抵抗力等を増やす必要がある。
【０００９】
上記のように、耐力や強度が不足した仮設的なものをそのまま恒久的なものへ転用することはできなかった。従って、仮設用仕切り構造体を生かした状態で恒久的な仕切り構造体へと転用することはできず、該恒久的仕切り構造体又はその他の機能を有する構造体を得るには、別途、恒久化を可能とする新たな材料や構造体を選択して構造物を得る必要があり、従来通りの恒久的な仕切り構造体等として製造し、それを所定場所に設置しなければならず、多くの経費と時間を費やすことが繰り返されていた。
【００１０】
他方、当初から恒久的な耐力を有して製造したものを仮設用として使用するとなると、重量が重く、設置のコストが増大し、また、設置幅が広くなり現場の所定設置幅内に入り切らないという問題が生じたり、路面付近の形状が車両用防護柵として定められた形状と異なるために使用することができないという根本的な問題も生じていた。
【００１１】
本出願人は、施工の短縮化と、通行車両との接触、衝突等の衝撃対応機能等を備えた仮設用仕切り構造体として、コンクリート製の自立型或いはアンカー併用型のものを工場等で製造し、それらを現場において設置或いは簡易な固定をするだけでよく、現場での工事の短縮化と所定強度が得られる他に、仮設用仕切り構造体として求められる様々な機能も得ることができるものを先に提案した。
【００１２】
それら仮設用仕切り構造体は、所定の工事等が終了すれば、他の同様な工事現場へ移設して仮設用として同様に使用することが可能であったが、そのような現場が存在しない場合や、量的に余分が生じる場合等にあっては、それら使用の定まらない仮設用仕切り構造体は、所定の場所にストックするか或いは廃棄しなければならなかった。
【先行技術文献】
【特許文献】
【００１３】
【特許文献１】特開２００１−２０２３５号公報
【特許文献２】実開平６−２７９２０号公報
【特許文献３】特開平２−５８６０６号公報
【発明の概要】
【発明が解決しようとする課題】
【００１４】
上記したように、仮設用として再利用することができない仮設用仕切り構造体は、長期間にわたって所定の場所でストックしたり、廃棄することになり、非経済的であった。本発明は、それら仮設用仕切り構造体を恒久的な仕切り構造体等へと簡単に転用できるように、仮設用仕切り構造体を製造する段階で転用のための手段を予め備えておいたものである。
【課題を解決するための手段】
【００１５】
本発明は、強度の有る防護柵となるコンクリート製自立型或いはアンカー併用型の仮設用仕切り構造体において、該防護柵の所定間隔毎に、別体の重量及び強度と幅の有る安定構造物と一体的に取着できる取付部及び／又は同形状の防護柵を長手方向に連続できる連結部を予め形成してなる恒久的な仕切り構造体又はその他の機能を有する構造体へ転用可能な仮設用仕切り構造体を特徴とする。
【００１６】
また、強度の有る防護柵となるコンクリート製自立型或いはアンカー併用型の仮設用仕切り構造体において、該防護柵の所定間隔毎に、別体の重量及び強度と幅の有る安定構造物と一体的に取着できる取付部及び／又は同形状の防護柵を長手方向に連続できる連結部を予め形成し、且つ、該防護柵の上部に隣接する他の防護柵と連結するためのシース孔を予め形成してなる恒久的な仕切り構造体又はその他の機能を有する構造体へ転用可能な仮設用仕切り構造体を特徴とする。
【００１７】
更に、上記仮設用仕切り構造体は、比較的高さの低い防護柵と、該防護柵の背面に立設した鋼管、鋼棒、Ｈ型鋼・Ｉ型鋼・Ｔ型鋼・Ｌ型鋼等の鋼材、鉄筋又はワイヤー等の強度の有る支柱部材と、該支柱部材間に架け渡した鋼管、ワイヤー、棒状部材、鉄板、鋼製矢板、木製矢板、サイディング、ネット等の防護部材とよりなり、該支柱部材は防護柵に固定してなる恒久的な仕切り構造体又はその他の機能を有する構造体へ転用可能な仮設用仕切り構造体を特徴とする。
【００１８】
また、上記仮設用仕切り構造体は、比較的高さの低い防護柵及びコンクリート製の高さの有る防護壁とで形成し、該防護柵の背面に該防護壁を一体に形成してなる恒久的な仕切り構造体又はその他の機能を有する構造体へ転用可能な仮設用仕切り構造体を特徴とする。
【００１９】
更に、上記仮設用仕切り構造体は、比較的高さの低い防護柵及びその上方の高さの有る防護壁とで形成し、該防護柵の上端部に該防護壁を連続一体に形成してなる恒久的な仕切り構造体又はその他の機能を有する構造体へ転用可能な仮設用仕切り構造体を特徴とする。
【００２０】
また、上記仮設用仕切り構造体は、防護柵の背面又は該防護柵の下部側となるベース部に仮設用重量部材を一体的に設けてなる恒久的な仕切り構造体又はその他の機能を有する構造体へ転用可能な仮設用仕切り構造体を特徴とする。
【００２１】
更に、上記取付部は、防護柵の下部側のベース部の所定間隔毎に、該ベース部の一部を切除した切欠部とし、該切欠部を安定構造物と一体化するためのアンカーや取付金具の固定部としてなる恒久的な仕切り構造体又はその他の機能を有する構造体へ転用可能な仮設用仕切り構造体を特徴とする。
【００２２】
また、上記連結部は、防護柵の下方側壁の端部及び／又は防護柵の天端部の端部に設けた恒久的な仕切り構造体又はその他の機能を有する構造体へ転用可能な仮設用仕切り構造体を特徴とする。
【００２３】
更に、上記安定構造物を、埋設基礎部材とした恒久的な仕切り構造体又はその他の機能を有する構造体へ転用可能な仮設用仕切り構造体を特徴とする。
【００２４】
また、上記安定構造物を、橋梁の一部とした恒久的な仕切り構造体又はその他の機能を有する構造体へ転用可能な仮設用仕切り構造体を特徴とする。
【００２５】
更に、上記安定構造物を、他の機能を兼用する重量物或いはベース部上に設けられた重量物とした恒久的な仕切り構造体又はその他の機能を有する構造体へ転用可能な仮設用仕切り構造体を特徴とする。
【発明の効果】
【００２６】
本発明は、重量及び強度と幅の有るコンクリート製自立型或いはアンカー併用型の仮設用仕切り構造体を得ることができる他、使用後においては、簡単に解体及び移動ができ、他の場所でそのまま仮設用仕切り構造体として再使用することができる一方、仮設用仕切り構造体としての使用不可の場合は、それらをそのまま或いはその主たる部分を利用し、仮設用仕切り構造体の段階で予め防護柵に形成してあった取付部及び／又は同形状の他の仮設用仕切り構造体を長手方向に連続できる連結部を予め形成し、更に、必要に応じてシース孔を設け、該仮設用仕切り構造体と別体の安定構造物とを一体化させることにより、重量のある強固な恒久的な仕切り構造体又はその他の機能を有する構造体へと転用できることが可能となった。
【００２７】
また、別体の安定構造物として、他の様々な付加価値のあるものと兼用させることにより、恒久的な仕切り構造体が完成すると同時に、水路や植裁、擁壁等の他の機能も併せ持つことが可能となった。
【図面の簡単な説明】
【００２８】
【図１】（ａ）、（ｂ）本発明の仮設用仕切り構造体の側断面図、（ｃ）同正面図、（ｄ）、（ｅ）、（ｆ）切欠部の形状を示す斜視図、（ｇ）、（ｈ）恒久的仕切り構造体の側断面図、（ｉ）同正面図。
【図２】（ａ）本発明の仮設用仕切り構造体の他の実施例の側断面図、（ｂ）同他の実施例の側断面図、（ｃ）同（ｂ）の正面図、（ｄ）他の実施例の側断面図、（ｅ）他の実施例の側断面図、（ｆ）他の実施例の側断面図、（ｇ）恒久的仕切り構造体の他の実施例の側断面図。
【図３】（ａ）本発明の仮設用仕切り構造体の他の実施例の側断面図、（ｂ）同仮設用仕切り構造体の連結部の側断面図、（ｃ）同連結部の連結手段の連結金具の（１）分解した側面図、（２）、（３）長ボルトへ連結鋼板等を取り付けた側面図。
【図４】恒久的仕切り構造体として擁壁に使用した側断面図。
【図５】本発明の仮設用仕切り構造体を恒久的仕切り構造体に転用した他の実施例の側断面図。
【図６】本発明の仮設用仕切り構造体の他の実施例の側断面図。
【図７】本発明の仮設用仕切り構造体の他の実施例の側断面図。
【図８】本発明の仮設用仕切り構造体の他の実施例の側断面図。
【図９】（ａ）本発明の仮設用仕切り構造体の他の実施例の側断面図、（ｂ）恒久的仕切り構造体の他の実施例の側断面図、（ｃ）恒久的仕切り構造体の他の実施例の側断面図。
【図１０】（ａ）本発明の仮設用仕切り構造体の他の実施例の側断面図、（ｂ）同斜視図、（ｃ）恒久的仕切り構造体の他の実施例の側断面図、（ｄ）同斜視図、（ｅ）追加部材の使用形態を示す側面図。
【図１１】（ａ）本発明の仮設用仕切り構造体の他の実施例の側断面図、（ｂ）恒久的仕切り構造体の他の実施例の側断面図。
【図１２】（ａ）本発明の仮設用仕切り構造体の他の実施例の側断面図、（ｂ）恒久的仕切り構造体の他の実施例の側断面図、（ｃ）同恒久的仕切り構造体の他の実施例の側断面図。
【図１３】（ａ）本発明の仮設用仕切り構造体の他の実施例の側断面図、（ｂ）恒久的仕切り構造体の他の実施例の側断面図。
【図１４】従来の仮設用防護柵の側面図。
【図１５】従来の仮設用防護柵の斜視図。
【図１６】従来の仮設用防護柵の側断面図。
【発明を実施するための形態】
【００２９】
以下、本発明の実施の形態を図面に基づいて説明する。
【実施例１】
【００３０】
図１（ａ）、（ｂ）、（ｃ）は、仮設用仕切り構造体１を示し、図１（ｄ）、（ｅ）、（ｆ）は、切欠部の形状を示し、図１（ｇ）、（ｈ）、（ｉ）は、上記仮設用仕切り構造体１を恒久的な仕切り構造体２に転用した実施例を示している。
【００３１】
図１（ｇ）、（ｈ）、（ｉ）の恒久的な仕切り構造体２は、図１（ａ）、（ｂ）、（ｃ）に示す仮設用仕切り構造体１を形成していた防護柵３の下部となるベース部４の下面に、基礎ブロック、現場打ちコンクリート又はその他の構造物となる矩形状重量部材よりなる安定構造物５を取着したものである。
【００３２】
実施例１の仮設用仕切り構造体１は、防護柵３よりなり、該防護柵３は、車両の衝突に対抗でき、風荷重や地震力等により転倒しないように下方側に設けた重量及び強度と幅のあるベース部４と、その上方側の厚い部材よりなる立ち上がり部６とより構成し、コンクリート製自立型或いはアンカー併用型として形成している。
【００３３】
該防護柵３は、車両の衝突や衝撃に耐える厚みと幅及び高さを有し、且つ想定される車両の側面が接触する衝撃エネルギーを分散させる効果及び衝突車両が衝突後に防護柵３に沿って走行する誘導機能等を有している。その直接的な衝撃により、該防護柵３には背面方向へ移動する力及び衝突した側とは反対側の舗装面との接触点を中心として衝突した側とは反対方向へ転倒させる力とが作用することになるが、該防護柵３を所定の厚みのある重量と幅を有し、且つ、それらを長手方向に連続した状態で形成することにより、地盤との接地幅を広くした強度及び転倒抵抗性能や滑動抵抗性能の有る重量物となっており、それらの設置部からの移動防止を可能としている。
【００３４】
また、該防護柵３の前面部を背面側へ後退させた形状とすることにより衝突による衝撃を緩和することと衝突車両の進行方向を防護柵と平行方向に誘導転換させることができる。
【００３５】
上記該防護柵３よりなる仮設用仕切り構造体１は、工場等で製造し、施工現場に運搬してそのまま設置し或いは簡易な固定だけで、隣接する他の仮設用仕切り構造体１ａ、１ｂ、…と連結して完成させることができる。
【００３６】
図１（ａ）、（ｂ）、（ｃ）に示すように、仮設用仕切り構造体１は、その隣接する他の仮設用仕切り構造体１ａ、１ｂ、…と、その防護柵３、３ａ、３ｂ、…の側壁部の端部に設けた凹部やボルト孔等の連結部７において相互間に架け渡したブロック側壁連結鋼板及び立ち上がり部６の天端部の端部に設けた凹部やボルト孔等の連結部８において相互間に架け渡したブロック天端連結鋼板を鋼板取付ボルトで側壁及び天端に各々固定することにより仮設用仕切り構造体１ａ、１ｂ、１ｃ、…相互を強固に連結している。図１（ｃ）は、長手方向に連結した状態を示すものである。
【００３７】
該仮設用仕切り構造体１は、連続した強度の有る恒久的な仕切り構造体２、２ａ、２ｂ、…とするために、その立ち上がり部６にＰＣ鋼より線又はＰＣ鋼棒等を挿入するためのシース孔９を製造段階で予め設けている。また、ベース部４、４ａ、４ｂ、…には安定構造物５、５ａ、５ｂ、…と一体化するためのアンカーや取付金具の取付部となる切欠部１０、１０ａ、１０ｂ、…を、上記同様、製造段階で予め設けている。仮設用仕切り構造体１として使用する場合は、該シース孔９及び又は取付部となる切欠部１０、１０ａ、１０ｂ、…は特に使用することはない。切欠部１０、１０ａ、１０ｂ、…については現場の状況に応じてアンカー固定用として適宜使用することができる。
【００３８】
該切欠部１０、１０ａ、１０ｂ、…は、ベース部４、４ａ、４ｂ、…に所定間隔毎に設けたもので、図１（ｄ）、（ｅ）、（ｆ）に示すように、前方に向けて緩やかに傾斜した該ベース部４、４ａ、４ｂ、…の前面部の一部を前面側或いは背面側から所定幅を三角柱、四角柱又は五角柱状に切除し、コ字型の開口部を形成している。従って、奥側の壁面は、少なくとも立ち上がり部６の前面側或いは背面側の壁面と同一か或いはそれらより奥側へ入り込む位置とし、外方に向けて開口が得られる開口部を形成している。これによりアンカー孔の形成、アンカーや取付金具の配置及びそれらのナットの締め付け等の固定のための作業ができるようにしている。従って、切欠部１０、１０ａ、１０ｂ、…の開口部となる開口幅及びその奥行幅等は、後述するベース部と安定構造物との関係により予め選択形成しておくことになる。また、ベース部となる背面側に突出した水平部の隅部の一部を切除して切欠部とすることもできる。このことは、他の全ての実施例においても共通する構成である。
【００３９】
また、該切欠部１０、１０ａ、１０ｂ、…となる開口部に、別途、取着金物を配設し、該取着金物を介してアンカーや取付金具と連結することもできる。
【００４０】
更に、恒久的な仕切り構造体とする場合は、該切欠部において、アンカー又は取付金具等で固定後、錆止め等を施し、当該箇所をコンクリート、モルタル等によって隣接する箇所と同一レベルとなるように埋め込み、他のベース部と面一形状とすることができる。
【００４１】
該仮設用仕切り構造体１は、適宜現場に設置或いは簡易固定して使用することになるが、使用後は、該ブロック側壁連結鋼板及びブロック天端連結鋼板等を取り除くだけで簡単に撤去することができる。また、場合によっては仮止めしたアンカーを取り除くこともある。撤去したものをそのままの状態で他の現場で仮設用として再利用することも可能であるが、他に同様な仮設を必要とする工事現場がない場合は、それらをそのまま恒久的な仕切りを必要とする現場へ運搬し、安定構造物と一体化させることで恒久的な仕切り構造体２として転用することを可能としている。
【００４２】
上記仮設用仕切り構造体１を再使用する場合又は恒久的な仕切り構造体２へと転用させるためには、連結を取り除いた該仮設用仕切り構造体１となる防護柵３、ブロック側壁連結鋼板、ブロック天端連結鋼板及びそれらの取付ボルトやナット等を所定の現場に運搬し、それらを再度使用することになる。
【００４３】
図１（ｇ）、（ｈ）、（ｉ）に示すように、恒久的な仕切り構造体２への転用の場合、まず、恒久的に使用する所定現場の地盤中に、基礎ブロック或いはコンクリートの打設等により基盤となる安定構造物５、５ａ、５ｂ、…を埋設形成し、その際、該安定構造物５、５ａ、５ｂ、…からはアンカー１１等の連結ボルトを所定間隔毎に突出しておく。該安定構造物５、５ａ、５ｂ、…がブロックの場合は、一体性を図るために、隣接する他のブロックとその相互間は必要に応じてブロック連結鋼板等により連結することになる。この連結は必ずしも必要とするものではない。該アンカー１１をベース部４に設けた切欠部１０へ立設し、当該箇所においてナット締め等により固定し、ベース部４、４ａ、４ｂ、…と安定構造物５、５ａ、５ｂ、…とを一体的に取着する。
【００４４】
該アンカー１１は、防護柵３、３ａ、３ｂ、…を安定構造物５、５ａ、５ｂ、…上に設置後、切欠部１０、１０ａ、１０ｂ、…にドリルを差し込み、該安定構造物５、５ａ、５ｂ、…に所定の深さの削孔をし、当該箇所にアンカー１１を取着してもよい。
【００４５】
他方、上記ブロック側壁端部に設けた連結部７及びブロック天端端部に設けた連結部８を該防護柵３と隣接する他の防護柵３ａの連結部７、８に連続するように位置させ、該連結部７、８に連結鋼板を架け渡し、再び当該現場において取付ボルトやナットにより固定する。このことを長手方向において繰り返すことにより、強度の有る恒久的な仕切り構造体２となる連続する該防護柵３、３ａ、３ｂ、…が構築される。その後、必要に応じて、予め形成してあるシース孔９へ、ＰＣ鋼より線又はＰＣ鋼棒１２等を挿通し、緊張連結することにより該防護柵３、３ａ、３ｂ、…相互を強固に連結できることになり、長手方向に連続した重量及び強度の有る恒久的な仕切り構造体２を完成させることができる。下記する全ての実施例においても特に記載しないが、必要に応じてシース孔及び緊張手段を採用して防護柵相互を強固に連結できるようにすることは同様である。
【００４６】
この実施例１の場合、防護柵３が仮設用仕切り構造体１であり、該防護柵３により恒久的な仕切り構造体２を構築することになる。
【実施例２】
【００４７】
図２（ａ）、（ｂ）、（ｃ）に示す仮設用仕切り構造体１３、１３ａは、コンクリート製自立型或いはアンカー併用型の強度の有る防護柵１４、１４ａの背面側に仮設用防護壁１５、１５ａを設けたものである。
【００４８】
図２（ａ）の仮設用仕切り構造体１３は、防護柵１４の背面に仮設用防護壁１５を設けたもので、該仮設用防護壁１５は、支柱部材１８と飛散物等の進入を防止する遮蔽機能、視線を避ける目隠し機能、防塵機能或いは落石防止機能等を有する防護部材１９とで形成され、２〜４ｍ程度の高いものが工事現場において構築される。
【００４９】
該防護柵１４のベース部１６の背面側に設けた縦孔１７に、該支柱部材１８の下端側を挿入して立ち上げ、長手方向に複数本設けた支柱部材１８には、上記遮蔽機能、目隠し機能、防塵機能、落石防止機能等を有する防護部材１９を固定している。
【００５０】
支柱部材１８の下端部は、防護柵１４のベース部１６の背面側に設けた縦孔１７に挿入され、その立ち上がり部は、防護柵１４から突出させた固定金具２０により支持されている。下端部が移動することなく、立ち上がり部が防護柵１４に固定された強固な支柱部材１８を得ることができる。
【００５１】
該支柱部材１８としては、鋼管、鋼棒、Ｈ型鋼・Ｉ型鋼・Ｔ型鋼・Ｌ型鋼等の鋼材、鉄筋又はワイヤー等の強度の有る棒状部材であれば適宜なものが使用できる。また、防護部材１９としては、支柱部材１８間に架け渡す鋼製矢板、木製矢板、鉄板、サイディング等の遮蔽部材或いは軽量角パイプ、棒状部材、ワイヤー等とネット等とを組み合わせたネット関連部材等の適宜部材を選択することができ、その現場の状況を把握して採用される。例えば、ネットを採用し、且つ、網目の粗いネットを使用する場合は、風が通り抜け、風荷重による抵抗を回避することができる。従って、背面側の仮設用重量部材を軽く或いは省略して使用することも可能である。
【００５２】
該ベース部１６には、前面側に実施例１と同様の切欠部３０を設け、恒久的な仕切り構造体への転用時におけるアンカーや取付金具のための取付部としている。なお、該切欠部３０は、仮設用仕切り構造体の場合でも必要に応じて取付部としての機能を発揮することができる。また、防護柵１４、１４ａ、１４ｂ、…の側壁部の端部に設けた連結部及び天端部の端部に設けた連結部は、上記実施例１と同様である。
【００５３】
図２（ｂ）、（ｃ）の仮設用仕切り構造体１３ａは、上記同様、防護柵１４ａの背面に仮設用防護壁１５ａを設けたもので、該仮設用防護壁１５ａは、飛散物等の進入を防止する遮蔽機能、視線を避ける目隠し機能、防塵機能或いは落石防止機能等を有するもので、２〜４ｍ程度の高いものが工事現場において構築される。
【００５４】
該防護柵１４ａのベース部１６ａに設けた横孔２１の開口部に、その一端を挿入した基盤側横架部材２２を、該防護柵１４ａより水平直交方向に突出させ、他方、防護柵１４ａのベース部１６ａの背面側に設けた複数の縦孔１７ａより支柱部材１８ａを長手方向にわたって複数本立ち上げ、その立ち上がり部は、防護柵１４ａから突出させた固定金具２０ａにより支持され、該支柱部材１８ａ間に網目の細かい（１ｍｍ×１ｍｍ程度）防塵のための防護部材１９ａとなるネットを張り付け固定したものである。
【００５５】
該防護柵１４ａのベース部１６ａの該横孔２１に挿入された基盤側横架部材２２は外方へ延出され、その他端部において高さ調整角材２３を下に据え付け調整することにより、該基盤側横架部材２２の水平状態が保持されるようにしている。該基盤側横架部材２２の延出先端側からは、該支柱部材１８ａの補強のための傾斜部材２４が該支柱部材１８ａの上方部に向けて斜設され、該傾斜部材２４は該基盤側横架部材２２及び支柱部材１８ａの各々の交差部において交差固定金具２５、２５ａによって強固に固定される。
【００５６】
また、ベース部１６ａから突出した該基盤側横架部材２２は、防護柵１４ａの長手方向において適宜間隔毎に複数本突出形成され、その直交方向に複数の重量物支持部材２６が該防護柵１４ａの長手方向と平行に架け渡され、それを床面として仮設用重量部材２７が載置固定されている。該仮設用重量部材２７は、大型土嚢（重量１ｔ〜２ｔ程度）、Ｈ型鋼、コンクリート塊、容器に水を入れたもの等様々な重量物を使用することができる。上記により組み立てられた仮設用防護壁１５ａは該防護柵１４ａと一体化し、強固に立設されることになる。
【００５７】
上記防塵のための防護部材１９ａとなるネットは、支柱部材１８ａ間に横方向の押さえ部材２８で保持し、網目の細かさにより十分な目隠し機能を得ることができる一方、上記した目の粗い目隠しのためのネットに比較して風荷重を受けることになる。しかし、上記した強度の有る防護柵１４ａと仮設用防護壁１５ａとを一体としたことにより風荷重に十分対抗することが可能である。全体として風荷重に対して抵抗できる重量と幅の有るコンクリート製自立型或いはアンカー併用型の仮設用仕切り構造体を形成している。
【００５８】
また、ベース部１６ａの前方下方部には切欠部３０ａを設け、取付部としている。更に、側壁部及び天端部の各々の端部に連結部７ａ、８ａを設けることにより、同形状の防護柵１４ａを長手方向に連続し、設置強度を高めることができる。
【００５９】
図２（ｄ）、（ｅ）は、仮設用仕切り構造体１３ｂ、１３ｃにおいて防護柵１４ｂ、１４ｃと仮設用防護壁１５ｂ、１５ｃとなる基盤側横架部材との関係を示す他の実施例で、防護柵１４ｂ、１４ｃと他のコンクリート製基盤側横架部材２２ｂ、２２ｃとは交差固定金具２５ｂ、２５ｃにより高さを調整して連結固定した状態を示している。該コンクリート製基盤側横架部材２２ｂ、２２ｃにより重量と強度の有る仮設用重量部材としての役割を達成することを可能としている。また、基盤側横架部材として比較的軽量のものを使用し、その上に仮設用重量部材積載用の部材を敷き、仮設用重量部材を載せることもできる。防護柵１４ｂ、１４ｃのベース部には切欠部３０ｂ、３０ｃを各々設け、側壁部及び天端部の各々の端部には連結部８ｂ、８ｃを設けている。
【００６０】
また、図２（ｆ）に示すように、仮設用仕切り構造体１３として、防護柵１４と防護壁１５との関係において、上記と同様の該防護壁１５を形成する支柱部材１８ｂの立ち上がり部を該防護柵１４と連結する固定金具２０により固定支持するが、垂直方向において２箇所或いは複数個所で固定することもできる。この場合は、該支柱部材１８ｂの下端側は該防護柵１４のベース部４ｂの背面側に縦孔を設けることなく、該ベース部４ｂに当接或いは近接した状態で該防護柵１４に固定することが可能となる。
【００６１】
上記実施例２においても、実施例１同様、使用後において仮設用仕切り構造体１３、１３ａ、１３ｂ、１３ｃを解体し、防護柵１４、１４ａ、１４ｂ、１４ｃの背面側で組み立てた仮設用防護壁１５、１５ａ、１５ｂ、１５ｃを取り除き、図２（ｇ）に示すように、防護柵１４、１４ａ、１４ｂ、１４ｃのみを恒久的な仕切り構造体３１として転用することができる。該防護柵１４、１４ａ、１４ｂ、１４ｃは、地盤中に形成された基礎ブロック或いはコンクリートの打設基礎等よりなる安定構造物２９と連結され、予め該防護柵１４、１４ａ、１４ｂ、１４ｃに形成したシース孔９及び／又は切欠部３０、連結部７、８を使用して恒久的な仕切り構造体３１として転用構築することができる。
【００６２】
また、該コンクリート製基盤側横架部材２２ｂ、２２ｃとして厚手のものを使用する場合は、該基盤側横架部材２２ｂ、２２ｃを安定構造物２９として使用することもできる。該基盤側横架部材２２ｂ、２２ｃは、防護柵１４ｂ、１４ｃ及び仮設用防護壁１５ｂ、１５ｃに固定されることになる。その際には、予めアンカー挿通孔を設けておく。上記基盤側横架部材２２、２２ｂ、２２ｃは、一実施例を示したもので、これらと同様の機能を果たすことのできるものであれば、その方法や材料或いは形状や取着位置等は適宜選択することができる。
【００６３】
なお、仮設用防護壁１５、１５ａ、１５ｂ、１５ｃとして使用した各部材は、解体することにより鋼管にあっては通常の単管となり、様々な用途に別途使用することができる。例えば、鋼管と交差固定金具としてのクランプ等はリース品として再利用することもできる。また、当初よりリース品を使用して仮設用仕切り構造体を構築することもできる。また、他の鋼材や棒状部材も様々な用途として再利用することができ、無駄なくリーズナブルに使用することができる。安価なだけでなく、資源保護にも貢献することができる。
【実施例３】
【００６４】
図３（ａ）は、他の実施例となるコンクリート製自立型或いはアンカー併用型の仮設用仕切り構造体１３ｄを示すもので、防護柵１４ｄのベース部１６ｄを背面後方側に延出して安定性と強度の有るものとし、該防護柵１４ｄの背面後方側に延出した該ベース部１６ｄの表面に支柱部材１８ｄの下端部を位置させ、その立ち上がり部は、該防護柵１４ｄへ固定金具２０ｄを取り付けることにより支持されている。該固定金具２０ｄは、通常の取着手段の他、取り付け時及び解体時のことを考慮して背面側から取着及び脱着ができるアンカー金具のようなものが望ましい。
【００６５】
上記支柱部材１８ｄ間は、実施例２と同様、防護部材１９ｂとしてネットを貼り付け固定している。また、ベース部１６ｄの下方部には切欠部３０ｄを設け、該切欠部３０ｄを使用して別体の安定構造物と連結一体化し、恒久的な仕切り構造体として転用構築することができる。更に、必要に応じて防護柵１４ｄの天端部の端部には連結部８ｄを設ける。
【００６６】
長手方向に並べられた防護柵１４ｄ相互は、図３（ｂ）に示すように、該防護柵１４ｄの側壁部の端部に連結部７ｄを設け、該連結部を７ｄを利用してブロック側壁連結鋼板によって隣接防護柵相互を連結することができる。また、実施例１のように、該ブロック側壁連結鋼板を通行路線側及び作業側のいずれ側も同様の取着方法を採用すると、該防護柵１４ｄとなるブロックを設置するとき又は撤去するときに作業員が通行路線側に立ち入り、該ブロック側壁連結鋼板を取り付けたり取り除く作業をすることになるが、図３（ｃ）に示すように、該ブロック側壁連結鋼板の取り付けを貫通長ボルト７ｘとし、通行路線側に予めブロック連結鋼板を固定する該貫通長ボルト７ｘの頭部側を固定し、防護柵１４ｄを挿通させて裏側の作業側にその先端部を位置させ、その先端側をワッシャ、ナット等を介して反対側のブロック側壁連結鋼板を取り付けることにより、設置時又は解体時に作業員が通行路線側に入り込むことなく作業を遂行することができる。
【実施例４】
【００６７】
図４は、実施例３で示したコンクリート製自立型或いはアンカー併用型の仮設用仕切り構造体１３ｄの内、防護柵１４ｄを恒久的な仕切り構造体３１ｅへと転用した実施例である。
【００６８】
防護柵１４ｅを該防護柵１４ｅに設けた切欠部３０ｅ及び該防護柵１４ｅの背面後方側に延出したベース部１６ｅに設けた切欠部３０ｅを利用し、地盤中に埋設した安定構造物２９ｅと連結する。また、該防護柵１４ｅの長手方向の側壁部の端部及び天端部の端部に連結部７ｅ、８ｅを設けることは、上記実施例と同様である。その後、該防護柵１４ｅの立ち上がり背面側及び該ベース部１６ｅ上に土、砂、砂利等を盛り込み、該防護柵１４ｅを土留めとなる恒久的なＬ型擁壁として使用することになる。
【００６９】
該Ｌ型擁壁には、水抜孔３２を設け、必要に応じて該防護柵１４ｅの表面側の適所に緊急避難用昇降ステップ３３及び手摺３４を設けることができる。上記緊急避難用昇降ステップ３３により交通事故や緊急避難時に通行路線側から歩道側或いは他の安全な避難場所へと退避することが可能となる。
【実施例５】
【００７０】
図５は、実施例３で示したコンクリート製自立型或いはアンカー併用型の仮設用仕切り構造体１３ｄの内、防護柵１４ｄを利用し、更にその背面側の延出ベース部１６ｆから恒久的な防護壁３５を立ち上げて恒久的な仕切り構造体３１ｆへと転用した実施例である。
【００７１】
防護柵１４ｆを該防護柵１４ｆの前面側に設けた切欠部３０ｆ及び該防護柵１４ｆの背面後方側に延出したベース部１６ｆに設けた切欠部３０ｆを利用し、地盤中に埋設した安定構造物２９ｆと連結する。その後、該防護柵１４ｆの背面側に沿うようにして該延出ベース部１６ｆより支柱部材１８ｆを適宜間隔毎に立ち上げる。該支柱部材１８ｆは、Ｈ型鋼・Ｉ型鋼・Ｔ型鋼・Ｌ型鋼等の鋼材とし、その下方側は、インサート金具等の固定金具２０ｆにより該防護柵１４ｆの背面側に固定し、該防護柵１４ｆより突出する上方側の該支柱部材１８ｆ間には、鉄板、鋼製矢板、木製矢板、サイディング等の防護部材１９ｆを取着又は間挿固定させる。適宜枚数の部材を必要な高さ分だけ採用して下方側から取着又は間挿固定していく。
【００７２】
該防護柵１４ｆの長手方向側壁部の端部及び天端部の端部には各々連結部７ｆ、８ｆを設け、上記実施例同様に、連結した強固な構造体とすることができる。
【実施例６】
【００７３】
図６は、他の実施例となるコンクリート製自立型或いはアンカー併用型の仮設用仕切り構造体１３ｇを示すもので、防護柵１４ｇの背面側のベース部１６ｇ下部の一部を切り欠いて溝部３６を形成し、該溝部３６にＨ型鋼・Ｉ型鋼・Ｔ型鋼・Ｌ型鋼等の鋼材よりなる支柱部材１８ｇの下端部を位置させ、該支柱部材１８ｇは、該防護柵１４ｇと固定金具２０ｇにより支持されている。該固定金具２０ｇは、インサート金具のような取着手段で、背面側からのボルトのインサートにより行い、該支柱部材１８ｅを立設固定する。
【００７４】
防護柵１４ｇの側壁部の端部には連結部７ｇを形成し、実施例３の図３（ｃ）に示した連結手段により、取り付け時及び解体時のことを考慮して背面側から取着及び脱着ができるようにしている。また、防護柵１４ｇの天端部の端部に連結部８ｇを形成し、隣接する防護柵１４ｇ相互を連結している。
【００７５】
該支柱部材１８ｇは、該防護柵１４ｇより上方へ突出立設され、該防護柵１４ｇに所定間隔毎に固定され、該支柱部材１８ｇ間には鉄板、鋼製矢板、木製矢板等の防護部材１９ｇを固定する。該防護部材１９ｇは、１枚のもの或いは分割された適数枚のものでよく、該支柱部材１８ｇに別途固定金具等の固定手段により固定される。
【００７６】
ベース部１６ｇの先端部には所定間隔毎に切欠部３０ｇを設け、該防護柵１４ｇが恒久的な仕切り構造体への転用時に別途安定構造物と連結できるようにしている。また、必要に応じて仮設用仕切り構造体の構築においても地盤や他の物との取り付け手段として使用することができる。
【実施例７】
【００７７】
図７は、他の実施例となるコンクリート製自立型或いはアンカー併用型の仮設用仕切り構造体１３ｈを示すもので、防護柵１４ｈの背面側のベース部１６ｈ側に削狭部３７を形成することにより作業側の作業幅が確保できるようにしたものである。背面側が狭いので防護柵１４ｈの立ち上がり部６ｈの背面位置にＨ型鋼・Ｉ型鋼・Ｔ型鋼・Ｌ型鋼等の鋼材よりなる支柱部材１８ｈの下端部を位置させ、該防護柵１４ｈの背面側上方部に位置させた該支柱部材１８ｈは、該防護柵１４ｈと固定金具２０ｈにより固定支持させている。該固定金具２０ｈは、通常の取着手段の他、背面側からのボルトのインサートを採用し、該支柱部材１８ｈをその下端部側が浮いた状態で立設固定する。
【００７８】
該支柱部材１８ｈは、該防護柵１４ｈの上端部或いはその近接位置で折曲する部材を使用し、該防護柵１４ｈの立ち上がり部６ｈを切欠させることなく上方部を垂直となるように延設している。また、該支柱部材１８ｈは、該防護柵１４ｈより上方へ突出立設され、該防護柵１４ｈに所定間隔毎に固定され、該支柱部材１８ｈ間には鉄板、鋼製矢板、木製矢板等の防護部材１９ｈを固定する。該防護部材１９ｈは、１枚のもの或いは分割された適数枚のものでよく、該支柱部材１８ｈに別途固定金具等の固定手段により固定される。
【００７９】
該防護柵１４ｈのベース部１６ｈ側には、切欠部３０ｈが形成され、仮設用仕切り構造体１３ｈから恒久的な仕切り構造体への転用時に別途安定構造物と連結できるようにしている。仮設時のアンカー止めとして使用することもできる。また、防護柵１４ｈの側壁部の端部に連結部７ｈを形成し、取り付け時及び解体時のことを考慮して背面側から取着及び脱着ができるように、実施例３の図３（ｃ）に示した取着手段を使用している。更に、該防護柵１４ｈの天端部の端部に連結部８ｈを形成し、隣接する防護柵相互を連結している。
【実施例８】
【００８０】
図８は、他の実施例となるコンクリート製自立型或いはアンカー併用型の仮設用仕切り構造体１３ｉを示すもので、作業幅が狭隘の場合の実施例で、防護柵１４ｉの背面側のベース部１６ｉ側に削狭部３７ｉを形成し、立ち上がり部６ｉにＨ型鋼・Ｉ型鋼・Ｔ型鋼・Ｌ型鋼等の鋼材よりなる支柱部材１８ｉの下端部を位置させ、該支柱部材１８ｉは、該防護柵１４ｉと固定金具２０ｉにより支持されている。該固定金具２０ｉは、通常の取着手段の他、背面側からのボルトのインサートを採用し、該支柱部材１８ｉをその下端側が浮いた状態で立設固定する。
【００８１】
該支柱部材１８ｉは、該防護柵１４ｉの立ち上がり部６ｉを切欠させることなく、該防護柵１４ｉの立ち上がり部６ｉの背面側傾斜面に沿うように傾斜固定されることになるので、上方側が表面方向へ傾斜した状態で延設されることになる。従って、該支柱部材１８ｉは、該防護柵１４ｉからの上方への突出高さは低く抑えて立設され、該防護柵１４ｉに所定間隔毎に固定され、該支柱部材１８ｉ間には鉄板、鋼製矢板、木製矢板等の防護部材１９ｉを固定する。該防護部材１９ｉは、１枚のもの或いは分割された適数枚のものでよく、該支柱部材１８ｅに別途固定金具等の固定手段により固定される。
【００８２】
該防護柵１４ｉのベース部１６ｉ側には、切欠部３０ｉが形成され、仮設用仕切り構造体１３ｉから恒久的な仕切り構造体への転用時に別途安定構造物と連結できるようにしている。仮設時のアンカー止めとして使用することもできる。また、防護柵１４ｉの側壁部の端部に連結部７ｉを形成し、取り付け時及び解体時のことを考慮して背面側から取着及び脱着ができるように、実施例３の図３（ｃ）に示した取着手段を使用している。更に、該防護柵１４ｉの天端部の端部に連結部８ｉを形成し、隣接する防護柵相互を連結している。
【実施例９】
【００８３】
図９（ａ）は、他の実施例となるコンクリート製自立型或いはアンカー併用型の仮設用仕切り構造体１３ｊを示すもので、防護柵１４ｊの背面側に高さの有る仮設用防護壁１５ｊを重量及び強度の有る仮設用重量部材を兼ねて取着した実施例である。仮設用仕切り構造体１３ｊとして高さの低い防護柵１４ｊの背面側に、高さの有る仮設用防護壁１５ｊを仮設用重量部材２７ｊと一体としたものである。該仮設用重量部材２７ｊは、防護柵１４ｊの背面となる位置に矩形状の重量物として形成し、その上方に該仮設用防護壁１５ｊを立ち上げている。仮設用防護壁１５ｊは、重量の有るコンクリート構造物として該仮設用重量部材２７ｊと一体化されており、重量部材としての役割も兼用している。
【００８４】
図９（ａ）に示すように、仮設用防護壁１５ｊの背面より更に後面側へ突出したコンクリート構造物は、防護柵１４ｊの前面側から後面側へ貫通した貫通孔３８へ挿通したアンカー３９により該防護柵１４ｊと一体的に固定している。
【００８５】
また、必要に応じて、コンクリート構造物よりなる仮設用重量部材２７ｊの上部表面側に、排水孔の有る凹部Ｐを設けることにより、当該凹部Ｐを植栽のための空間或いは工事中の仮設通信ケーブルや仮設通水管を収納する空間とすることができるとともに、恒久的な仕切り構造体としての設置時に、排水路としての機能を持たせることもできる。
【００８６】
上記よりなる仮設用仕切り構造体１３ｊの使用後、貫通孔３８のアンカー３９を取り除き、該防護柵１４ｊから仮設用防護壁１５ｊを分離する。図９（ｂ）に示すように、恒久的な仕切り構造体として該仮設用防護壁１５ｊの前面及び背面を逆に位置させ、設置場所となる地盤中に下方の該仮設用重量部材２７ｊを埋設して安定構造物２９ｊとし、その前方側上部に該防護柵１４ｊを設置する。該防護柵１４ｊに予め形成してあった切欠部３０ｊにおいて該防護柵１４ｊと該埋設安定構造物２９ｊとをアンカー４０により固定する。該切欠部３０ｊは、仮設用防護壁１５ｊのときのアンカーを利用した立設にも利用することができるが、恒久的な構造物とする場合は必須のものとなる。
【００８７】
更に、該防護柵１４ｊの背面で該安定構造物２９ｊ上となる箇所には仮設用防護壁１５ｊが位置することになり、防護壁を兼ねた重量物としての防護壁兼用安定構造物４１となる。仮設用に使用していた防護柵１４ｊの貫通孔３８を利用してアンカー３９により該防護壁兼用安定構造物４１となるように該防護柵１４ｊと一体化している。
【００８８】
上記した凹部Ｐを設けたものにあっては、図９（ｃ）に示すように、防護柵１４ｊの底面と地盤中の安定構造物２９ｊとによって閉鎖されることになるので、排水路としての機能を持たせることが可能となる。
【００８９】
コンクリート構造物よりなる恒久的な仕切り構造体３１ｊは、その下方部は、厚みと高さを有する基礎としての安定構造物２９ｊと、上方部は高さの有るコンクリート構造物よりなる防護壁兼用安定構造物４１として、仮設用防護壁１５ｊの全てを恒久的な防護壁として使用でき、防護柵と防護壁の役割を達成できる重量及び強度の有る他の機能を備えた恒久的な構造物を得ることができる。高さの有る仮設用仕切り構造体１３ｊから、同様に、背の高い厚みの有る安定したコンクリート構造物よりなる恒久的な仕切り構造体３１ｊへと転用することができる。
【００９０】
また、防護柵１４ｊの側壁部の端部に連結部７ｊを形成し、実施例３の図３（ｃ）に示した取着手段により、天端部の端部の連結部８ｊにより、隣接する防護柵相互を取着及び脱着できるようにしている。
【実施例１０】
【００９１】
図１０（ａ）、（ｂ）は、仮設用の防護柵１４ｋとその上方に一体的に設けた仮設用防護壁１５ｋ及び該防護柵１４ｋの背面に重量及び強度の有る矩形状の仮設用重量部材２７ｋを一体化することにより安定性を増したコンクリート製自立型或いはアンカー併用型の仮設用仕切り構造体１３ｋの実施例を示している。
【００９２】
該仮設用仕切り構造体１３ｋは、仮設状態で所定箇所に設置するもので、車両の進入等を防止する主として防護機能を有する防護柵１４ｋとしての役割と、その上方へ延設した遮音機能、背面の法面を切土したときに生じる落石等の飛散物遮蔽手段、目隠し機能等を有する仮設用防護壁１５ｋとより形成している。
【００９３】
該仮設用仕切り構造体１３ｋは、上記実施例と同様、車両の衝突に対抗でき、風荷重や地震力等により転倒しないように下方側を重量及び強度の有る部材で形成し、上方側は落石等の飛散物を遮蔽する手段として比較的薄い部材で形成している。
【００９４】
また、必要に応じて、上方へ更に延設する追加部材４２を、該仮設用防護壁１５ｋの上端部において連結金具４３等の適宜連結手段により連結し、高さを増した仮設用仕切り構造体１３ｋとすることができるとともに、図１０（ｃ）に示すように、恒久的な仕切り構造体３１ｋとして使用する場合に、追加部材４２を取り外した高さで使用することができる。
【００９５】
該防護柵１４ｋは、車両の衝突や衝撃に耐える厚みと高さを有し、且つ想定される車両の側面が接触する衝撃エネルギーを分散させる効果及び衝突車両が衝突後に該防護柵１４ｋに沿って走行する誘導機能等を有している。しかしながら、高さが高いために大きな風荷重を受けるため、防護柵１４ｋと追加部材４２の重量と接地幅だけでは最大風荷重を受けると転倒することとなり、背面部材の仮設用重量部材２７ｋと組み合わせることにより必要な重量と幅を確保できることになる。
【００９６】
該防護柵１４ｋには、図１０（ｂ）に示すように、仮設用重量部材２７ｋを取り付けるための取付手段としてのアンカー４４を該仮設用重量部材２７ｋの背面側から該防護柵１４ｋの背面側へ螺着や打設により取り付け、該防護柵１４ｋと仮設用重量部材２７ｋとを強固に一体化している。防護柵１４ｋの背面にアンカー４４がアンカーボルトの場合はアンカー雌ネジを予め設けておくとよい。
【００９７】
上記仮設用仕切り構造体１３ｋは、コンクリート製自立型構造物或いはアンカー併用型の防護柵１４ｋ、仮設用防護壁１５ｋ、追加部材４２及び仮設用重量部材２７ｋを工場等で製造し、現場作業を少なくするために予め工場で組み立てた状態で出荷することができるとともに、工事現場等において組み立てて設置してもよい。該仮設用仕切り構造体１３ｋは、自立型構造物としてもよいし、切欠部３０ｋを利用してのアンカー併用型構造物としてもよい。使用後には組み立てたそのままの状態で撤去してもよいし、簡単に分解して撤去することもできる。
【００９８】
撤去後、長期間にわたり使用することを目的として、図１０（ｃ）、（ｄ）に示す恒久的な仕切り構造体３１ｋへと転用することができる。転用にあたっては、追加部材４２をそのまま残して使うこともできるし、必要に応じ、該仮設用仕切り構造体１３ｋから、追加部材４２を取り除き、該防護柵１４ｋ、仮設用防護壁１５ｋ及び仮設用重量部材２７ｋだけを使用してもよい。
【００９９】
地盤等に強固に固定するため、安定構造物２９ｋとして、別途、コンクリート製の矩形状となるプレキャストコンクリート構造物又は現場打設コンクリート基礎を地盤中に設け、該防護柵１４ｋの底面と固定することができる。一体化は、上記した実施例と同様、該防護柵１４ｋのベース部に予め形成してあった切欠部３０ｋにおいて、該安定構造物２９ｋから突出したアンカー４５の頭部を固定することにより施工することができる。該切欠部３０ｋは、該防護柵１４ｋの長手方向において適宜間隔毎に予め仮設用仕切り構造体１３ｋの段階で形成してある。
【０１００】
該安定構造物２９ｋとして、上記したように、仮設用重量部材２７ｋをそのまま使用することもできる。該仮設用重量部材２７ｋを貫通して設けたアンカー４４のための孔を該安定構造物２９ｋのアンカー４５の設置位置と同じ位置にしておくことにより、該仮設用重量部材２７ｋも恒久的な仕切り構造体３１ｋの安定構造物２９ｋとして再使用することができる。
【０１０１】
また、仮設用仕切り構造体１３ｋとして使用していた追加部材４２を、図１０（ｅ）に示すように、別途、切土や盛土の縁ブロックや境界ブロック、又は切土法面の防火ブロック４６等として使用したり、遮音壁下部の土留板４６等として使用したり、その形状に合う様々なものに転用が可能である。仮設用として使用した各コンクリート構造物を全て再利用することが可能となる。
【０１０２】
また、防護柵１４ｋの側壁部の端部に、上記実施例同様に、連結部７ｋを形成し、追加部材４２又は該防護柵１４ｋの天端部の端部に連結部８ｋを形成し、隣接する防護柵相互を連結するようにしている。
【実施例１１】
【０１０３】
図１１（ａ）、（ｂ）は、他の実施例を示すもので、図１１（ａ）に示す仮設用仕切り構造体１３ｍから図１１（ｂ）に示す恒久的な仕切り構造体３１ｍへと転用した状態を示している。
【０１０４】
仮設用仕切り構造体１３ｍは、コンクリート製の防護柵１４ｍ、仮設用防護壁１５ｍ及び仮設用重量部材２７ｍとよりなり、該仮設用防護壁１５ｍは、該防護柵１４ｍ上に連結金具４８により連結一体化され、該防護柵１４ｍと仮設用重量部材２７ｍとはアンカー４９により一体とされ、全体としてコンクリート製自立型或いはアンカー併用型の仮設用仕切り構造体１３ｍとしている。
【０１０５】
上記仮設用仕切り構造体１３ｍの仮設としての役割の終了後、連結金具４８及びアンカー４９を取り外し、該防護柵１４ｍから仮設用防護壁１５ｍ及び仮設用重量部材２７ｍを分離し、防護柵１４ｍのみを、安定構造物２９ｍとなる橋梁端部と連結一体化して恒久的な仕切り構造体３１ｍとしての壁高欄へ転用した実施例である。
【０１０６】
上記恒久的な仕切り構造体３１ｍは、上記実施例と同様、防護柵１４ｍ下部の一部に適宜間隔毎に予め設けてあった切欠部３０ｍへ、安定構造物２９ｍとしての橋梁の端部から立設したアンカー５０が露出するように挿通させ、その頭部側を固定することにより恒久的な仕切り構造体３１ｍへと転用することができる。
【０１０７】
なお、切欠部３０ｍは、仮設用仕切り構造体１３ｍとしての設置時に、アンカーの取付部として使用することもできる。
【０１０８】
また、防護柵１４ｍの側壁部の端部に連結部７ｍを形成し、該防護柵１４ｍの天端部又は仮設用防護壁１５ｍの天端部の端部に連結部８ｍを形成し、隣接する防護柵相互を連結し、長手方向に延びた仕切り構造体を構築するようにしている。
【実施例１２】
【０１０９】
図１２（ａ）は、他の実施例となるコンクリート製自立型或いはアンカー併用型の仮設用仕切り構造体１３ｎを示すもので、仮設用仕切り構造体１３ｎとなる防護柵１４ｎの背面側に断面凹型形状の仮設用重量部材２７ｎを取着したものである。
【０１１０】
仮設用仕切り構造体１３ｎは、該防護柵１４ｎと、その上方の仮設用防護壁１５ｎ及び仮設用重量部材２７ｎとよりなり、該仮設用重量部材２７ｎは、矩形状でもよいし、前方側側面に恒久的な仕切り構造体への転用時に排水路又は通信管路等として使用するための凹部を設けた断面コ字型形状又は円形空間形状の重量及び強度の有るコンクリート構造物でもよい。該凹部にあっては、その開口側となる突出する上下の側壁部２７ｎａ、２７ｎｂの端縁部を該防護柵１４ｎの背面側側壁部１４ｎａと取着して一体化する。
【０１１１】
該防護柵１４ｎの背面側側壁部１４ｎａに断面コ字型形状の仮設用重量部材２７ｎを形成する上下の側壁部２７ｎａ、２７ｎｂの各々から、該防護柵１４ｎの背面側側壁１４ｎａへアンカー５１を挿通して固定することにより該仮設用重量部材２７ｎを該防護柵１４ｎに一体的に取着することができる。他方、円形空間形状を設けた仮設用重量部材２７ｎも上記同様、該仮設用重量部材２７ｎとして該防護柵１４ｎの背面側側壁１４ｎａへ固定されることになる。
【０１１２】
上記仮設用重量部材２７ｎの取着により、一方面が該防護柵１４ｎの背面側側壁部１４ｎａにより、その他の面が断面コ字型形状を形成する上下の側壁部２７ｎａ、２７ｎｂ及び該仮設用重量部材２７ｎの立設部によって囲まれた閉塞空間Ｓ１が形成され、他方、円形空間形状の場合は、予め閉塞空間Ｓ１を形成しておくことができる。該空間Ｓ１は、工事中の電気管路、通信管路等として使用することができる。
【０１１３】
図１２（ａ）では、防護柵１４ｎのベース部となる背面側下部に水平方向に延出したベース部１６ｎを形成し、該ベース部１６ｎの上に該仮設用重量部材２７ｎを載置し、該背面側側壁部１４ｎａと該仮設用重量部材２７ｎとをアンカー５２により連結一体化しているが、ベース部１６ｎのない防護柵１４ｎの場合でも、該仮設用重量部材２７ｎを地盤上に載置し、同様の方法で取着することができる。また、切欠部３０ｎからアンカーを地盤等に取着することにより仮設用仕切り構造体１３ｎを設置することもできる。移動防止に有効となる。
【０１１４】
また、該仮設用仕切り構造体１３ｎの設置時に、該部材をクレーン等で吊り上げることになるが、その際、該部材が垂直を維持して安定運搬ができるように、該仮設用重量部材２７ｎをバランスウェイト部材として使用することも可能である。
【０１１５】
上記仮設用仕切り構造体１３ｎの使用後、該防護柵１４ｎから該仮設用重量部材２７ｎを取り除き、所定の工事現場において、該仮設用重量部材２７ｎを９０度回転させて上方側に凹部が形成される状態とし、該仮設用重量部材２７ｎを安定構造物２９ｎとして地盤中に埋設する。該安定構造物２９ｎとして上面に断面コ字型形状の開口部が表面側に露出した断面凹型形状のものへと設置方向を変え、その開口側を形成する突出する側壁部２９ｎａ、２９ｎｂの端縁部を防護柵１４ｎのベース部１６ｎの底面部１６ｎａとアンカー５３、５５により取着し、一体化することにより、該安定構造物２９ｎの底部を有する囲まれた閉塞空間Ｓ２を形成することができる。
【０１１６】
また、図１２（ｃ）に示すように、円形空間形状のものを防護柵１４ｎのベース部の底面部１６ｎａと取着し、アンカー５３、５５により一体化する。該安定構造物２９ｎの内側には閉塞空間Ｓ２がそのまま残ることになる。
【０１１７】
該安定構造物２９ｎは、恒久的な仕切り構造体３１ｎを形成するために、防護柵１４ｎの下方部となる地盤等に埋設され、その一方の側壁部２９ｎａは該防護柵１４ｎに予め形成してあった切欠部３０ｎにおいてアンカー５３の頭部を取着することにより固定し、他方の側壁部２９ｎｂは防護柵１４ｎのベース部１６ｎの背面側に予め形成してあった貫通孔５６へ挿通したアンカー５５の頭部を固定することにより防護柵１４ｎと一体化することになる。
【０１１８】
図１２（ｂ）では、該防護柵１４ｎの背面側から突出したベース部１６ｎに設けた取付部としての貫通孔５６に挿通したアンカー５５によって安定構造物２９ｎの一方側を連結一体化しているが、延出ベース部１６ｎ以外の他の形状のものであっても、該防護柵１４ｎの下部の一部に切欠部及び貫通孔を予め形成しておくことにより、適宜連結一体化することができる。
【０１１９】
上記により、防護柵１４ｎの下部に水路となる空間Ｓ２を形成すると同時に、重量及び強度の有る恒久的な仕切り構造体３１ｎを構築することができる。
【０１２０】
また、防護柵１４ｎの側壁部の端部に連結部７ｎを形成し、同様に、防護柵１４ｎの天端部の端部に連結部８ｎを形成し、隣接する防護柵相互を連結し、長手方向に延びた仕切り構造体を構築するようにしている。
【実施例１３】
【０１２１】
図１３（ａ）は、他の実施例となる基盤等へ取着するコンクリート製自立型或いはアンカー併用型の仮設用仕切り構造体１３ｐに係るもので、該仮設用仕切り構造体１３ｐを図１３（ｂ）に示す恒久的な仕切り構造体３１ｐへ転用できるものである。
【０１２２】
上記実施例１０と同様、仮設用仕切り構造体１３ｐは、防護柵１４ｐと、その上方の仮設用防護壁１５ｐよりなり、該防護柵１４ｐの背面側下部に水平方向に延出したベース部１６ｐを形成している。
【０１２３】
該防護柵１４ｐの前方下部には切欠部３０ｐが形成され、該切欠部３０ｐにおいてアンカー５６を取着し、他方、該ベース部１６ｐの先端部を図１３（ａ）に示すＬ字型等の連結金具５７等を使用してアンカー５８を固定することにより基盤等へ該仮設用仕切り構造体１３ｐを配設することができるが、該アンカー５８は、該先端部に予め取付部となる切欠部３０ｐを形成し、該切欠部３０ｐを利用して基盤等に取り付けることができる。
【０１２４】
上記仮設用仕切り構造体１３ｐの使用後、ベース部１６ｐの先端側に予め形成された該切欠部３０ｐにおいて取付部としての適宜連結金具５９により延長部材となる安定構造物２９ｐを取着する。また、該安定構造物２９ｐの下部側先端よりベース部１６ｐに向けてアンカー６０を挿通させて固定することにより、より強固に両者を固定することができる。該安定構造物２９ｐは、埋設基礎部材としての役割を成している。これによりベース部１６ｐは、水平部材として該防護柵１４ｐに対して直交方向外方へ更に延出することになる。この状態のものを土砂等の土留めとなる恒久的な仕切り構造体３１ｐとなる擁壁として使用することができる。
【０１２５】
ベース部１６ｐ及び安定構造物２９ｐ上には重量物として土砂が盛り込まれることになり、上記実施例４の擁壁より高さの高い擁壁を得ることができ、破壊や転倒が防止できる重量と強度の有る恒久的な仕切り構造体３１ｐとなる。
【０１２６】
また、防護柵１４ｐの側壁部の端部に連結部７ｐを形成し、同様に、防護柵１４ｐの天端部の端部に連結部８ｐを形成し、隣接する防護柵相互を連結し、長手方向に延びた強固な仕切り構造体を構築するようにしている。
【符号の説明】
【０１２７】
１、１３                                          仮設用仕切り構造体
２、３１                                          恒久的な仕切り構造体
３、１４                                          防護柵
４、１６                                          ベース部
５、２９                                          安定構造物
６                                                立ち上がり部
７、８                                            連結部
９                                                シース孔
１０、３０                                        切欠部
１１、３９、４０、４４、４５、４９、５０、５１、
５２、５３、５５、５８、６０                      アンカー
１２                                              ＰＣ鋼より線又はＰＣ鋼棒等
１５                                              仮設用防護壁
１７                                              縦孔
１８                                              支柱部材
１９                                              防護部材
２０                                              固定金具
２１                                              横孔
２２                                              基盤側横架部材
２３                                              高さ調整用角材
２４                                              傾斜部材
２５                                              交差固定金具
２６                                              重量物支持部材
２７                                              仮設用重量部材
２８                                              押さえ部材
３２                                              水抜孔
３３                                              緊急避難用昇降ステップ
３４                                              手摺
３５                                              恒久的防護壁
３６                                              溝部
３７                                              削狭部
３８、５６                                        貫通孔
４１                                              防護壁兼用安定構造物
４３、４８、５７、５９                            連結金具
４２                                              追加部材
４６                                              防火ブロック
４７                                              土留板
【図１】
2015078590.tif 000003
【図２】
2015078590.tif 000004
【図３】
2015078590.tif 000005
【図４】
2015078590.tif 000006
【図５】
2015078590.tif 000007
【図６】
2015078590.tif 000008
【図７】
2015078590.tif 000009
【図８】
2015078590.tif 000010
【図９】
2015078590.tif 000011
【図１０】
2015078590.tif 000012
【図１１】
2015078590.tif 000013
【図１２】
2015078590.tif 000014
【図１３】
2015078590.tif 000015
【図１４】
2015078590.tif 000016
【図１５】
2015078590.tif 000017
【図１６】
2015078590.tif 000018
【手続補正書】
【提出日】平成27年1月26日(2015.1.26)
【手続補正１】
【補正対象書類名】明細書
【補正対象項目名】００１５
【補正方法】変更
【補正の内容】
【００１５】
本発明は、強度の有る比較的高さの低い仮設用防護柵と仮設用防護壁とよりなるコンクリート製自立型或いはアンカー併用型の移動可能な設置タイプの仮設用仕切り構造体において、該防護柵とは別体となる該防護壁を該防護柵の背面側に配設し、該防護壁は、その上方側を該防護柵より上方へ延出し、該防護柵の背面側に位置する側で該防護柵と着脱自在に固定し、該防護柵は、その端部に同形状の他の防護柵を長手方向に連続するための連結部を予め形成してなる恒久的な仕切り構造体又はその他の機能を有する構造体へ転用可能な仮設用仕切り構造体を特徴とする。
【手続補正２】
【補正対象書類名】明細書
【補正対象項目名】００１６
【補正方法】変更
【補正の内容】
【００１６】
また、強度の有る比較的高さの低い仮設用防護柵と仮設用防護壁とよりなるコンクリート製自立型或いはアンカー併用型の移動可能な設置タイプの仮設用仕切り構造体において、該防護柵とは別体となる該防護壁を該防護柵の背面側に配設し、該防護壁は、その上方側を該防護柵より上方へ延出し、該防護柵の背面側に位置する側で該防護柵と着脱自在に固定し、該防護柵は、その端部に同形状の他の防護柵を長手方向に連続するための連結部を予め形成し、且つ、該防護柵の上方部に隣接する他の防護柵と連結するためのシース孔を予め形成してなる恒久的な仕切り構造体又はその他の機能を有する構造体へ転用可能な仮設用仕切り構造体を特徴とする。
【手続補正３】
【補正対象書類名】明細書
【補正対象項目名】００１７
【補正方法】変更
【補正の内容】
【００１７】
更に、上記仮設用防護壁は、該防護柵の背面側に立設した鋼管、鋼棒、Ｈ型鋼・Ｉ型鋼・Ｔ型鋼・Ｌ型鋼等の鋼材、鉄筋又はワイヤー等の強度の有る支柱部材と、該支柱部材間に架け渡した鋼管、ワイヤー、棒状部材、鉄板、鋼製矢板、木製矢板、サイディング、ネット等の防護部材とよりなり、該支柱部材を該防護柵と着脱自在に固定してなる恒久的な仕切り構造体又はその他の機能を有する構造体へ転用可能な仮設用仕切り構造体を特徴とする。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
また、上記連結部は、防護柵の側壁部の端部及び／又は防護柵の天端部の端部に設けた恒久的な仕切り構造体又はその他の機能を有する構造体へ転用可能な仮設用仕切り構造体を特徴とする。
【手続補正７】
【補正対象書類名】明細書
【補正対象項目名】００２１
【補正方法】変更
【補正の内容】
【００２１】
更に、上記防護柵の下部側となるベース部又は該ベース部から背面側水平方向に延出したベース部に安定構造物と一体化するための取付部を設け、該取付部は、アンカーや取付金具の固定部としてなる恒久的な仕切り構造体又はその他の機能を有する構造体へ転用可能な仮設用仕切り構造体を特徴とする。
【手続補正８】
【補正対象書類名】明細書
【補正対象項目名】００２２
【補正方法】変更
【補正の内容】
【００２２】
また、上記安定構造物を、ベース部上に設けた重量物とした恒久的な仕切り構造体又はその他の機能を有する構造体へ転用可能な仮設用仕切り構造体を特徴とする。
【手続補正９】
【補正対象書類名】明細書
【補正対象項目名】００２５
【補正方法】変更
【補正の内容】
【００２５】
更に、上記安定構造物を、仕切り構造体とは異なる他の機能を兼用する重量物とした恒久的な仕切り構造体又はその他の機能を有する構造体へ転用可能な仮設用仕切り構造体を特徴とする。
【手続補正１０】
【補正対象書類名】特許請求の範囲
【補正対象項目名】全文
【補正方法】変更
【補正の内容】
【特許請求の範囲】
【請求項１】
強度の有る比較的高さの低い仮設用防護柵と仮設用防護壁とよりなるコンクリート製自立型或いはアンカー併用型の移動可能な設置タイプの仮設用仕切り構造体において、該防護柵とは別体となる該防護壁を該防護柵の背面側に配設し、該防護壁は、その上方側を該防護柵より上方へ延出し、該防護柵の背面側に位置する側で該防護柵と着脱自在に固定し、該防護柵は、その端部に同形状の他の防護柵を長手方向に連続するための連結部を予め形成してなることを特徴とする恒久的な仕切り構造体又はその他の機能を有する構造体へ転用可能な仮設用仕切り構造体。
【請求項２】
強度の有る比較的高さの低い仮設用防護柵と仮設用防護壁とよりなるコンクリート製自立型或いはアンカー併用型の移動可能な設置タイプの仮設用仕切り構造体において、該防護柵とは別体となる該防護壁を該防護柵の背面側に配設し、該防護壁は、その上方側を該防護柵より上方へ延出し、該防護柵の背面側に位置する側で該防護柵と着脱自在に固定し、該防護柵は、その端部に同形状の他の防護柵を長手方向に連続するための連結部を予め形成し、且つ、該防護柵の上方部に隣接する他の防護柵と連結するためのシース孔を予め形成してなることを特徴とする恒久的な仕切り構造体又はその他の機能を有する構造体へ転用可能な仮設用仕切り構造体。
【請求項３】
仮設用防護壁は、該防護柵の背面側に立設した鋼管、鋼棒、Ｈ型鋼・Ｉ型鋼・Ｔ型鋼・Ｌ型鋼等の鋼材、鉄筋又はワイヤー等の強度の有る支柱部材と、該支柱部材間に架け渡した鋼管、ワイヤー、棒状部材、鉄板、鋼製矢板、木製矢板、サイディング、ネット等の防護部材とよりなり、該支柱部材を該防護柵と着脱自在に固定してなることを特徴とする請求項１又は２記載の恒久的な仕切り構造体又はその他の機能を有する構造体へ転用可能な仮設用仕切り構造体。
【請求項４】
連結部は、防護柵の側壁部の端部及び／又は防護柵の天端部の端部に設けたことを特徴とする請求項１乃至３のいずれか記載の恒久的な仕切り構造体又はその他の機能を有する構造体へ転用可能な仮設用仕切り構造体。
【請求項５】
防護柵の下部側となるベース部又は該ベース部から背面側水平方向に延出したベース部に安定構造物と一体化するための取付部を設け、該取付部は、アンカーや取付金具の固定部としてなることを特徴とする請求項１乃至４のいずれか記載の恒久的な仕切り構造体又はその他の機能を有する構造体へ転用可能な仮設用仕切り構造体。
【請求項６】
安定構造物を、ベース部上に設けた重量物としたことを特徴とする請求項５記載の恒久的な仕切り構造体又はその他の機能を有する構造体へ転用可能な仮設用仕切り構造体。
【請求項７】
安定構造物を、埋設基礎部材としたことを特徴とする請求項５記載の恒久的な仕切り構造体又はその他の機能を有する構造体へ転用可能な仮設用仕切り構造体。
【請求項８】
安定構造物を、橋梁の一部としたことを特徴とする請求項５記載の恒久的な仕切り構造体又はその他の機能を有する構造体へ転用可能な仮設用仕切り構造体。
【請求項９】
安定構造物を、仕切り構造体とは異なる他の機能を兼用する重量物としたことを特徴とする請求項５記載の恒久的な仕切り構造体又はその他の機能を有する構造体へ転用可能な仮設用仕切り構造体。